(57)【要約】【課題】偽の生体活動電流源の出現を解消でき、生体活動部位を正確に把握することができる生体活動解析プログラムを提供することを目的とする。【解決手段】関心領域を内部に含む計測面の生体信号データと、計測面の内部中心点からその面上の点までの距離とを積算した関数を算出し（ステップＳ１）、この関数の値を、関心領域の内部に仮想的に設定された複数個の点電荷の生成する電位信号を用いて近似し（ステップＳ２）、この点電荷から関心領域の境界面上に設定された仮想的計測点における生体信号を算出し（ステップＳ３）、この算出された仮想生体信号を、関心領域の境界面についての解剖学的三次元画像情報と関連付けて表示させる（ステップＳ４）ので、偽の生体活動電流源の出現を解消でき、活動部位を把握することができる。【選択図】　　　　図２
2004065671.tif 000002
【特許請求の範囲】
【請求項１】
被検体内の生体活動を解析するための演算をコンピュータに実行させるための生体活動解析プログラムであって、（ａ）予め求められた被検体の関心領域を内部に含む計測面の生体信号データに基づいて、前記生体信号データと、前記計測面の内部中心点からその計測面上の点までの距離とを積算した関数を算出する関数算出過程と、（ｂ）前記関数算出過程で積算された関数の値を、前記関心領域の内部に仮想的に設定された複数個の点電荷の生成する電位信号を用いて近似する電位信号算出過程と、（ｃ）前記電位信号算出過程で近似に用いた点電荷から前記関心領域の境界面上に設定された仮想的計測点における生体信号を算出する仮想生体信号算出過程と、（ｄ）前記（ｃ）で算出された仮想生体信号を、前記関心領域の境界面についての解剖学的三次元画像情報と関連付けて表示させる仮想生体信号表示過程と、を備えることを特徴とする生体活動解析プログラム。
【請求項２】
請求項１に記載の生体活動解析プログラムにおいて、（ａ’）前記関数算出過程は、所定時刻ごとに取得された計測面の生体信号データに基づいて、前記関数を前記所定時刻ごとにそれぞれ求め、（ｂ’）前記電位信号算出過程は、前記関数算出過程で求められた所定時刻ごとの各関数の値を、前記関心領域の境界面上にそれぞれ個別に近似し、（ｃ’）前記仮想生体信号算出過程は、前記電位信号算出過程で近似に用いた所定時刻ごとの点電荷から前記関心領域の境界面上に設定された仮想的計測点における生体信号をその所定時刻ごとに算出し、（ｄ’）前記仮想生体信号表示過程は、前記仮想生体信号算出過程で算出された所定時刻ごとの仮想生体信号を、その時刻ごとに前記解剖学的三次元画像情報に表示させることを特徴とする生体活動解析プログラム。
【発明の詳細な説明】
【０００１】
【発明の属する技術分野】
この発明は、被検体の生体活動部位を解析するための演算をコンピュータに実行させるための生体活動解析プログラム等に関する。
【０００２】
【従来の技術】
生体に刺激を与えると、Ｎａイオンが細胞内に流入して生体活動電流が流れる。この生体活動電流は、脳や心臓において現れ、脳波，心電図として記憶される。また、生体活動電流によって生じる磁界は、脳磁図，心磁図として記憶される。
【０００３】
近年、生体内の微小な磁界を計測する装置として、ＳＱＵＩＤ（Ｓｕｐｅｒｃｏｎｄｕｃｔｉｎｇ　Ｑｕａｎｔｕｍ　Ｉｎｔｅｒｆａｃｅ　Ｄｅｖｉｃｅ　：超伝導量子干渉素子）を用いたセンサが開発されている。このセンサを、例えば頭部の外側に置き、脳内に生じた生体活動電流源である電流双極子（以下、単に電流源とも称する）による微小磁界をそのセンサで無侵襲に計測することができる。このセンサで計測された磁界データから電流源（例えば病巣に関連した電流源）の物理量（位置，大きさなど）を算出し、Ｘ線ＣＴ装置やＭＲＩ装置で得られた断層像（Ｘ線スライス画像やＭＲＩスライス画像）上にこの算出した電流源を表示させて患部等の物理的位置の特定などに用いている。
【０００４】
【発明が解決しようとする課題】
しかしながら、このような方法を用いて電流源を解析するような生体活動解析装置の場合には、次のような問題がある。
すなわち、電流源と前述のセンサとの距離が遠いため、生体活動に伴う信号（例えば磁界データ）の空間分布が広がっており、電流源の物理量（位置，大きさなど）を特定することは困難である。また、複数の電流源が同時に存在する場合には、この複数の活動信号が重なり合い電流源を特定することがより困難になる。このため、電流源の物理量（位置，大きさなど）を特定するには、センサにより取得した計測信号から電流源を求める計算が必要になるが、解（つまり、電流源の物理量（位置，大きさなど））を一意に求めることは困難である。例えば、センサ位置において計測信号と計測面の内部中心点からの距離の積に一致する調和関数に着目し，この関数の電流源近傍における漸近的性質を用いて電流源の物理量（位置，大きさなど）を求めることが考えられるが、計測信号に含まれるノイズのため、偽の電流源が現れる場合があり、生体活動部位を正確に把握することができないという問題がある。このノイズとしては、生体活動解析装置が設置される磁気シールド室内における磁場ノイズや、ＳＱＵＩＤセンサの回路内で発生するランダムノイズなどが挙げられる。特に、計測位置から遠い位置、つまり、関心領域（例えば、脳）の内部の深い位置で現れる偽の電流源は強度も大きく現れ、真の電流源と区別することが困難である。
【０００５】
この発明は、このような事情に鑑みてなされたものであって、偽の生体活動電流源の出現を解消でき、生体活動部位を正確に把握することができる生体活動解析プログラムを提供することを目的とする。
【０００６】
【課題を解決するための手段】
上記目的を達成するために、発明者が鋭意研究をした結果、次のような知見を得た。すなわち、前述の調和関数の解析接続性に着目した方法では、例えば頭部の外側にＳＱＵＩＤセンサが置かれた計測面で得られた計測データ（磁界データ）に基づいて、頭部の内部の関心領域（例えば、脳）の境界面からその内部の深い位置に至るまでに存在する電流源を逐次に算出していくのであるが、関心領域の内部の深い位置に存在するとして算出された電流源ほど、偽の電流源である場合が多くなっている。これは、前記センサで計測された計測信号に含まれるノイズが、関心領域の内部に進むにつれて、急峻な変化を持つ点として現れていくことになり、偽の電流源であるにもかかわらず真の電流源と区別することができず、真の電流源として算出されてしまうことによる。したがって、関心領域の内部の深い位置にまで踏み込んで信憑性の低い電流源を算出するよりも、関心領域の境界面上での仮想的計測磁場データを算出するに留めることで、偽の電流源の出現を解消できるし、関心領域の境界面についての解剖学的三次元画像情報上に、前記の求められた境界面上での生体磁場を関連付けて表示することで、関心領域の境界面上での活動部位を正確に把握することができるということを見出したのである。
【０００７】
このような知見に基づくこの発明は次のような構成を採る。
すなわち、請求項１に記載の発明は、被検体内の生体活動を解析するための演算をコンピュータに実行させるための生体活動解析プログラムであって、（ａ）予め求められた被検体の関心領域を内部に含む計測面の生体信号データに基づいて、前記生体信号データと、前記計測面の内部中心点からその計測面上の点までの距離とを積算した関数を算出する関数算出過程と、（ｂ）前記関数算出過程で積算された関数の値を、前記関心領域の内部に仮想的に設定された複数個の点電荷の生成する電位信号を用いて近似する電位信号算出過程と、（ｃ）前記電位信号算出過程で近似に用いた点電荷から前記関心領域の境界面上に設定された仮想的計測点における生体信号を算出する仮想生体信号算出過程と、（ｄ）前記（ｃ）で算出された仮想生体信号を、前記関心領域の境界面についての解剖学的三次元画像情報と関連付けて表示させる仮想生体信号表示過程と、を備えることを特徴とするものである。
【０００８】
（作用・効果）請求項１に記載の発明によれば、関数算出過程では、予め求められた被検体の関心領域を内部に含む計測面の生体信号データに基づいて、この生体信号データと、計測面の内部中心点からその計測面上の点までの距離とを積算した関数を算出する。電位信号算出過程では、関数算出過程で積算された関数の値を、関心領域の内部に仮想的に設定された複数個の点電荷の生成する電位信号を用いて近似する。仮想生体信号算出過程では、電位信号算出過程で近似に用いた点電荷から関心領域の境界面上に設定された仮想的計測点における生体信号を算出する。仮想生体信号表示過程では、算出された仮想的計測点における生体信号（仮想生体信号）を、関心領域の境界面についての解剖学的三次元画像情報と関連付けて表示させる。
【０００９】
したがって、関心領域を計測した計測面の生体信号データに基づいてこの関心領域の境界面における磁場を求めるに留め、関心領域内部の生体活動電流源の位置を算出しないこととしているので、関心領域の内部位置（関心領域の深さ方向の位置）にまで踏み込んで生体活動電流源の位置を求める際に生じ易い偽の生体活動電流源の出現を解消することができる。また、関心領域の境界面についての解剖学的三次元画像情報上に、前記の求められた境界面上での生体磁場を関連付けて表示することができるので、関心領域の境界面上での活動部位を把握することができる。
【００１０】
請求項２に記載の発明は、請求項１に記載の生体活動解析プログラムにおいて、（ａ’）前記関数算出過程は、所定時刻ごとに取得された計測面の生体信号データに基づいて、前記関数を前記所定時刻ごとにそれぞれ求め、（ｂ’）前記電位信号算出過程は、前記関数算出過程で求められた所定時刻ごとの各関数の値を、前記関心領域の境界面上にそれぞれ個別に近似し、（ｃ’）前記仮想生体信号算出過程は、前記電位信号算出過程で近似に用いた所定時刻ごとの点電荷から前記関心領域の境界面上に設定された仮想的計測点における生体信号をその所定時刻ごとに算出し、（ｄ’）前記仮想生体信号表示過程は、前記仮想生体信号算出過程で算出された所定時刻ごとの仮想生体信号を、その時刻ごとに前記解剖学的三次元画像情報に表示させることを特徴とするものである。
【００１１】
（作用・効果）請求項２に記載の発明によれば、関数算出過程では、所定時刻ごとに取得された計測面の生体信号データに基づいて、前記関数を所定時刻ごとにそれぞれ求める。電位信号算出過程では、関数算出過程で求められた所定時刻ごとの各関数の値を、関心領域の内部に仮想的に設定された複数個の点電荷の生成する電位信号を用いてそれぞれ近似する。仮想生体信号算出過程では、電位信号算出過程で近似に用いた所定時刻ごとの点電荷から関心領域の境界面上に設定された仮想的計測点における生体信号をその所定時刻ごとに算出する。仮想生体信号表示過程では、仮想生体信号算出過程で算出された所定時刻ごとの仮想生体信号を、その時刻ごとに前記解剖学的三次元画像情報に表示させる。したがって、関心領域の境界面における生体磁場を時間変化とともに観測することができ、関心領域のネットワーク、つまり、関心領域の活動部位のタイムコースを求めることができる。
【００１２】
なお、本明細書は、次のような生体活動解析プログラムおよび生体活動解析装置も開示している。
【００１３】
（１）請求項１または請求項２に記載の生体活動解析プログラムにおいて、
前記電位信号算出過程は、計測で得られた関数と、仮想的に設定される点電荷により発生する関数との差が最小となるように前記点電荷を算出する際に、予め設定しておいた定数を単位行列に掛けたものを用いることを特徴とする生体活動解析プログラム。
【００１４】
前記（１）に記載の生体活動解析プログラムによれば、電位信号算出過程では、計測で得られた関数と、仮想的に設定される点電荷により発生する関数との差が最小となるようにこの点電荷を算出する際に、予め設定しておいた定数を単位行列に掛けたものを用いるので、出てくるノルムを小さくでき、ノイズの影響を小さくできる。
【００１５】
（２）請求項１または請求項２、あるいは、前記（１）に記載の生体活動解析プログラムにおいて、
前記仮想生体信号算出過程は、前記仮想的計測点における生体信号を、この仮想的計測点を中心とする正方形の各頂点位置における仮想磁場を、その位置が対角関係にあるものをペアとして差分をとったものを２乗してそれらを加算して平方根をとった値とすることを特徴とする生体活動解析プログラム。
【００１６】
前記（２）に記載の生体活動解析プログラムによれば、仮想生体信号算出過程では、仮想的計測点における生体信号を、この仮想的計測点を中心とする正方形の各頂点位置における仮想磁場を、その位置が対角関係にあるものをペアとして差分をとったものを２乗してそれらを加算して平方根をとった値とする。したがって、磁場源の直上に相当する関心領域の境界面上の位置で磁場のピークがでるようになる。つまり、関心領域の境界面上の仮想磁場を、正負のピークが存在する形式の仮想磁場ではなく、正のピークが存在する形式の仮想磁場として表すことができ、しかもこの正のピークの位置の真下方向に磁場源が存在すると言えるので、磁場源の直上に相当する関心領域の境界面上の位置を表すことができる。
【００１７】
（３）請求項１または請求項２、あるいは、前記（１）または（２）に記載の生体活動解析プログラムを用いて前記計測面の生体信号データを演算処理することで、被検体内の生体活動を解析するための、関心領域の境界面における情報を生成することを特徴とする生体活動解析装置。
【００１８】
前記（３）に記載の生体活動解析装置によれば、上述の生体活動解析プログラムを用いて計測面の生体信号データを演算処理することで、被検体内の生体活動を解析するための、関心領域の境界面における情報を生成することができる。つまり、関心領域を計測した計測面の生体信号データに基づいてこの関心領域の境界面における磁場を求めるに留め、関心領域内部の生体活動電流源の位置を算出しないこととしているので、関心領域の内部位置（関心領域の深さ方向の位置）にまで踏み込んで生体活動電流源の位置を求める際に生じ易い偽の生体活動電流源の出現を解消することができる。また、関心領域の境界面についての解剖学的三次元画像情報上に、前記の求められた境界面上での生体磁場を関連付けて表示することができるので、関心領域の境界面上での活動部位を把握することができる。
【００１９】
【発明の実施の形態】
以下、図面を参照してこの発明の一実施例を説明する。
図１は、この発明に係る生体活動解析装置の一実施例の概略構成を示したブロック図である。マルチチャンネルＳＱＵＩＤセンサ１は、被検体Ｍの例えば頭部に近接配備され、この頭部の脳内に生じた生体活動電流源による微小磁界を無侵襲に計測するためのものである。このマルチチャンネルＳＱＵＩＤセンサ１は、デュワーと呼ばれる容器内に多数（例えばＮ個）の磁気センサが冷媒に浸漬して収納されているものである。つまり、被検体Ｍの頭部に近接する計測面の所定位置に、Ｎ個の磁気センサがそれぞれ配備されていて、これらのＮ個の磁気センサによって、脳内に生じた生体活動電流源による微小磁界が無侵襲にそれぞれ計測されるようになっている。磁気シールドルーム２内には、マルチチャンネルＳＱＵＩＤセンサ１と、被検体Ｍが仰臥されるベッド３とが設けられている。
【００２０】
マルチチャンネルＳＱＵＩＤセンサ１で検出された磁界データは、データ変換部４に与えられてデジタルデータに変換された後、データ収集部５に集められる。データ収集部５に集められたデータは、後述するメモリ部９に書き込まれて記憶される。刺激装置６は、被検体Ｍに電気的刺激（あるいは音、光刺激など）を与えるためのものである。ポジショニング部７は、マルチチャンネルＳＱＵＩＤセンサ１を基準とした３次元座標系に対する被検体Ｍの位置関係を把握するための装置である。
【００２１】
また、この実施例装置には、後述する関数Ｗｊ　を求める、磁場を近似するなどの演算処理を行う、つまり、生体活動解析プログラムを実行する演算部８が設けられているとともに、この生体活動解析プログラムや演算部８による演算処理によって行われた各データなどを記憶するためのメモリ部９が設けられている。演算部８は、ＣＰＵ（中央処理装置）で構成されており、メモリ部９は、ＲＡＭやＲＯＭなどの記憶素子で構成されている。各データは画像としてカラーモニタ１０にそれぞれ表示出力されて、必要に応じてカラープリンタ１１にそれぞれ印刷出力される。
【００２２】
その他に、マルチチャンネルＳＱＵＩＤセンサ１、刺激装置６、ポジショニング部７、カラーモニタ１０、カラープリンタ１１などを統括制御して、演算部８に演算処理を行う信号を出力して、各データをメモリ部９に記憶（書き込み）してメモリ部９から読み出すための制御部１２が設けられている。
【００２３】
次に、演算部８による各処理について、図２，図３を参照して説明する。図２は、この実施例装置の演算部での生体活動解析プログラムの処理内容を示すフローチャートである。図３は、計測面での計測データに基づいて関心領域の境界面上の仮想磁場を算出することを説明するための模式図である。
【００２４】
（ステップＳ１）関数Ｗｊを求める
図３に示すように、ｊ番目の計測点の位置ｘｊ　、つまり、ｊ番目の磁気センサの位置で計測された、脳に対して法線方向の計測磁場Ｂ（ｘｊ　）に、計測面の内部中心点（上述の球面モデルの中心点）からｊ番目の計測点の位置ｘｊ　までの距離を積算した関数Ｗｊ　を、１〜Ｎ番目の計測点の位置ｘ１　〜ｘＮ　についてそれぞれ、以下の式（１）により算出する。ただし、ｊ＝１，２，３，…，Ｎである。なお、予めＭＲＩ装置などで取得したＭＲＩスライス画像などによって、前述の計測面の内部中心点と、この内部中心点から位置ｘｊ　までの距離は予め既知となっている。
【００２５】
【数１】
2004065671.tif 000003
【００２６】
このように、計測面の内部中心点から位置ｘｊ　までの距離の絶対値である｜ｘｊ　｜を計測磁場Ｂ（ｘｊ　）に積算することにより、関数Ｗｊ　は調和関数となり、解析接続性があるという性質を備えることになり、後述するステップＳ２，Ｓ３の代用電荷法を用いて、計測面での計測データを関心領域の境界面上（例えば脳皮質表面上）に延長できる。なお、この演算部８でのステップＳ１は、本発明における関数算出過程に相当する。
【００２７】
（ステップＳ２）電荷Ｑを求める
関数Ｗを近似するような、関心領域の内部に仮想的に設定された複数個の点電荷Ｑを求める。
【００２８】
具体的には、図３に示すように、関心領域内の位置Ｘｊ　に設定したＮ個の仮想的な電荷Ｑｊ　、つまり、関心領域内の位置Ｘ１　〜ＸＮ　に設定されたＮ個の仮想的な電荷Ｑ１　〜ＱＮ　を、次に示す式（２）の関数ｆを最小化することにより求める。
【００２９】
【数２】
2004065671.tif 000004
【００３０】
ただし、λは予め設定した定数である。すなわち、Ｑは以下の式（３）〜式（７）により算出される。
【００３１】
【数３】
2004065671.tif 000005
【００３２】
【数４】
2004065671.tif 000006
【００３３】
【数５】
2004065671.tif 000007
【００３４】
【数６】
2004065671.tif 000008
【００３５】
【数７】
2004065671.tif 000009
【００３６】
ここで、上述の式（２）〜式（７）について説明する。式（２）で表される関数ｆを最小化するためには、自乗誤差最小とすればよい、つまり、この式（２）の右辺の｛｝内が０になればよい。この式（２）の右辺の｛｝内のＷｊ　は、前述のステップＳ１で求めたものであり、計測から得られた調和関数Ｗｊ　である。ここでは説明の便宜上、このＷｊ　を、実験（計測）で得られたＷを意味するＷｅｘｐ　として説明する。また、この式（２）の右辺の｛｝内のΣの方は、代用電荷Ｑによって発生するＷと言え、ここでは説明の便宜上、このＷを、理論的（算術的）に出てくるＷを意味するＷｔｈとして説明する。
【００３７】
計測から得られたＷｅｘｐ　は、Ｗｅｘｐ　＝ＫＢで表される。なお、「Ｋ」は式（６）のものであり、「Ｂ」は式（７）のものである。また、理論的に出てくるＷｔｈは、Ｗｔｈ＝ＬＱで表される。なお、「Ｌ」は式（５）のものであり、「Ｑ」は式（４）のものである。
【００３８】
上述したように、式（２）で表される関数ｆを最小化するためには、式（２）の右辺の｛｝内が０になればよい、つまり、｛Ｗｅｘｐ　−Ｗｔｈ｝２　を最小にすることであり、Ｗｅｘｐ　＝Ｗｔｈとなればよいのである。Ｗｅｘｐ　＝ＫＢであり、Ｗｔｈ＝ＬＱであることから、これらを代入すると、ＫＢ＝ＬＱとなり、今求めようとしているのはＱであるので、Ｑ＝Ｌ−１ＫＢとなる。なお、「Ｌ−１」はＬの逆行列を表す。この「Ｌ−１」は、次に示すムーアペンローズの一般逆行列で求めることができる。つまり、Ｌ−１＝ＬＴ　（ＬＬＴ　）−１となる。なお、「ＬＴ　」はＬの転置行列である。これを代入すると、Ｑ＝ＬＴ　（ＬＬＴ　）−１ＫＢとなる。この式は前述の式（３）を表している。
【００３９】
ただし、「ＬＬＴ　」の行列式は、０に限りなく近い値となり、計算の精度が悪く、イルコンディションとなってしまう。これを改善するために、式（３）に示すように、「ＬＬＴ　」に「λ２　Ｉ」を加えることとしている。なお、「Ｉ」は単位行列であり、λは前述したように予め設定した定数である。こうすることで、出てくるノルムを小さくでき、ノイズの影響を小さくできる。なお、この演算部８でのステップＳ２は、本発明における電位信号算出過程に相当する。
【００４０】
（ステップＳ３）磁場を近似する
前述のステップＳ２で求めた点電荷Ｑから関心領域の境界面（図３に示すように例えば脳皮質表面）上に設定された仮想的計測点における磁場Ｂ’を算出する。具体的には、以下の式（８）に従って、関心領域の境界面上の位置ｘ’ｊ　　に設定した仮想的計測点における磁場Ｂ（ｘ’ｊ　　）を求める。また、予めＭＲＩ装置などで取得したＭＲＩスライス画像などによって、前述の位置ｘ’ｊ　　までの距離は予め既知となっている。なお、この演算部８でのステップＳ３は、本発明における仮想生体信号算出過程に相当する。
【００４１】
【数８】
2004065671.tif 000010
【００４２】
（ステップＳ４）磁場Ｂを解剖学的三次元画像上に重ね合わせ表示する
上述のメモリ部９には、例えばＸ線ＣＴ装置やＭＲＩ装置で得られた、解剖学的三次元画像（脳皮質表面に関する三次元画像）が予め記憶されており、ステップＳ３で求めた仮想磁場Ｂ（ｘ’ｊ　　）、つまり、空間マップを、この解剖学的三次元画像上に重ね合わせて、カラーモニタ１０に表示出力、あるいはカラープリンタ１１に出力印刷させる。なお、この演算部８でのステップＳ４は、本発明における仮想生体信号表示過程に相当する。
【００４３】
また、ある時刻で測定した計測面の生体信号データ（磁界データ）を、上述のステップＳ１〜Ｓ３で処理することで、その時刻における脳皮質表面の磁場を算出することができる。したがって、所定の時刻ごとに計測面の生体信号データ（磁界データ）を計測し、上述のステップＳ１〜Ｓ３で処理することで、その所定の時刻ごとの脳皮質表面の磁場を算出することができることは言うまでもない。こうすることで、仮想磁場Ｂ（ｘ’ｊ　　）の波形、つまり、横軸を時間とし縦軸を強度とする座標上に仮想磁場Ｂ（ｘ’ｊ　　）の時間変化を取得することもできる。
【００４４】
また、変形例として、上述のステップＳ３を以下のようにしてもよい。関心領域の境界面上の位置ｘ’ｊ　　を中心とする正方形の各頂点位置ｘ’ｊ１　、ｘ’ｊ２　、ｘ’ｊ３　、ｘ’ｊ４　（ｘ’ｊ１　とｘ’ｊ３　、ｘ’ｊ２　とｘ’ｊ４　が対角ペアとなる）における仮想磁場Ｂ’ｊ１　、Ｂ’ｊ２　、Ｂ’ｊ３　、Ｂ’ｊ４　を計算した後、以下の式（９）より算出した値を、位置ｘ’ｊ　　における仮想磁場パワーＢ’’ｊとして算出する。言うなれば、仮想の平面型グラディオメータとして算出するのである。こうすることで、後述する図６に示すように、磁場源の直上に相当する関心領域の境界面上の位置で磁場のピークがでるようになる。
【００４５】
【数９】
2004065671.tif 000011
【００４６】
ここで、本実施例装置に用いて、被験者の右手首の正中神経を電気刺激した際に誘発される脳磁気を計測した結果について、図４〜図７を用いて説明する。図４は、マルチチャンネルＳＱＵＩＤセンサの各磁気センサで計測された計測磁場波形である。図５（ａ）〜（ｄ）は、刺激後５０、８５、１４０、１６０ｍｓ（ミリ秒）後の計測面での計測磁場の空間パターンを示す。なお、この図５において、左列側の図は頭部を左後方から見た図であり、中列側の図は頭部を右後方から見た図であり、右列側の図は頭部を真上から見た図である。図６（ａ）〜（ｄ）は、前述のステップＳ３でさらに数式（９）を用いて算出した仮想磁場パワーを解剖学的三次元画像（脳皮質表面に関する三次元画像）に重ね合わせ表示した場合の刺激後５０、８５、１４０、１６０ｍｓ（ミリ秒）後の仮想磁場の空間パターンを示す。なお、この図６において、左列側の図は脳を左側方から見た図であり、中列側の図は脳を右側方から見た図であり、右列側の図は脳を真上から見た図である。図７（ａ）〜（ｃ）は、脳皮質表面上の所定の仮想的計測点を示す図であり、図７（ｄ）は図７（ａ）〜（ｃ）に示した仮想的計測点における仮想磁場波形である。
【００４７】
図５（ａ）の刺激後５０ｍｓにおける計測面での計測磁場の空間パターンと、図６（ａ）の刺激後５０ｍｓにおける脳皮質表面での仮想磁場の空間パターンとの比較からも明らかなように、本法を用いることにより、手の１次感覚野に相当する中心溝近傍から磁場が発生していることがわかる。つまり、図５（ａ）では活動部位を詳細に把握することができないが、図６（ａ）では活動部位を詳細に把握することができる。図６（ａ）の破線で囲まれた部分および図６（ａ）の破線で囲まれた部分から磁場が発生している、すなわち、中心溝近傍から磁場が発生していることがわかる。
【００４８】
また、図５（ｂ）の刺激後８５ｍｓにおける計測面での計測磁場の空間パターンと、図６（ｂ）の刺激後８５ｍｓにおける脳皮質表面での仮想磁場の空間パターンとを比較すると、図５（ｂ）の計測パターンからは認識できない２箇所の活動部位（手の２次感覚野に相当する側頭葉弁蓋と頭頂葉後部）を図６（ｂ）では認識することができる。
【００４９】
さらに、図７からは、手の刺激に伴う脳活動の時間的変化が脳溝位置と関連付けてわかる。
【００５０】
上述したように本実施例によれば、前述のステップＳ１では、予め求められた被検体Ｍの関心領域（例えば脳）を内部に含む計測面の生体信号データに基づいて、この生体信号データと、計測面の内部中心点からその計測面上の点までの距離とを積算した関数を算出する。前述のステップＳ２では、前述のステップＳ１で積算された関数の値を、関心領域の内部に仮想的に設定された複数個の点電荷の生成する電位信号を用いて近似する。前述のステップＳ３では、前述のステップＳ２で近似に用いた点電荷から関心領域の境界面（例えば、脳皮質表面）上に設定された仮想的計測点における生体信号を算出する。前述のステップＳ４では、算出された仮想的計測点における生体信号（仮想生体信号）を、関心領域の境界面についての解剖学的三次元画像情報と関連付けて表示させる。
【００５１】
したがって、関心領域を計測した計測面の生体信号データに基づいてこの関心領域の境界面における磁場を求めるに留め、関心領域内部の生体活動電流源の位置を算出しないこととしているので、関心領域の内部位置（関心領域の深さ方向の位置）にまで踏み込んで生体活動電流源の位置を求める際に生じ易い偽の生体活動電流源の出現を解消することができる。また、関心領域の境界面についての解剖学的三次元画像情報上に、前記の求められた境界面上での生体磁場を関連付けて表示することができるので、関心領域の境界面上での活動部位を把握することができる。
【００５２】
また、マルチチャンネルＳＱＵＩＤセンサ１は、計測面の生体信号データを所定時刻ごとに取得する。前述のステップＳ１では、関数Ｗｊ　を所定時刻ごとにそれぞれ求める。前述のステップＳ２では、前述のステップＳ１で求められた所定時刻ごとの各関数Ｗｊ　の値を、関心領域の内部に仮想的に設定された複数個の点電荷の生成する電位信号を用いてそれぞれ近似する。前述のステップＳ３では、前述のステップＳ２で近似に用いた所定時刻ごとの点電荷Ｑから関心領域の境界面上に設定された仮想的計測点における生体信号をその所定時刻ごとに算出する。前述のステップＳ４では、前述のステップＳ３で算出された所定時刻ごとの仮想生体信号を、その時刻ごとに解剖学的三次元画像情報に表示させる。したがって、関心領域の境界面における生体磁場を時間変化とともに観測することができ、関心領域のネットワーク、つまり、関心領域の活動部位のタイムコースを求めることができる。
【００５３】
この発明は、上記実施形態に限られることはなく、下記のように変形実施することができる。
【００５４】
（１）上述した本実施例では、関心領域を脳としているが、脳以外でも、心臓など生体活動を求めるべき部位に用いることができる。
【００５５】
（２）さらに、活動部位の把握が解剖学的構造との関連のみでは不十分な場合には、活動部位を正確に算出するための非線形最適化法の初期値として本法の結果を利用することもできる。
【００５６】
【発明の効果】
以上の説明から明らかなように、この発明によれば、関心領域を計測した計測面の生体信号データに基づいてこの関心領域の境界面における磁場を求めるに留め、関心領域内部の生体活動電流源の位置を算出しないこととしているので、関心領域の内部位置（関心領域の深さ方向の位置）にまで踏み込んで生体活動電流源の位置を求める際に生じ易い偽の生体活動電流源の出現を解消することができる。また、関心領域の境界面についての解剖学的三次元画像情報上に、前記の求められた境界面上での生体磁場を関連付けて表示することができるので、関心領域の境界面上での活動部位を把握することができる。
【図面の簡単な説明】
【図１】本実施例に係る生体活動解析装置の概略構成を示したブロック図である。
【図２】本実施例に係る演算部での生体活動解析プログラムの処理内容を示すフローチャートである。
【図３】計測面での計測データに基づいて関心領域の境界面上の仮想磁場を算出することを説明するための模式図である。
【図４】マルチチャンネルＳＱＵＩＤセンサの各磁気センサで計測された計測磁場波形である。
【図５】（ａ）〜（ｄ）は、刺激後５０、８５、１４０、１６０ｍｓ後の計測面での計測磁場の空間パターンを示す。
【図６】（ａ）〜（ｄ）は、数式（９）で算出した仮想磁場パワーを脳皮質表面の三次元画像に表示した場合の刺激後５０、８５、１４０、１６０ｍｓ後の仮想磁場の空間パターンを示す。
【図７】（ａ）〜（ｃ）は、脳皮質表面上の所定の仮想的計測点を示す図であり、（ｄ）は（ａ）〜（ｃ）に示した仮想的計測点における仮想磁場波形である。
【符号の説明】
１　…　マルチチャンネルＳＱＵＩＤセンサ
７　…　ポジショニング部
８　…　演算部
９　…　メモリ部
１０　…　カラーモニタ
Ｍ　…　被検体
Ｑ　…　点電荷
ｘｊ　　　…　磁気センサによる計測点
ｘ’ｊ　…　仮想的計測点
Ｗ　…　関数
【図１】
2004065671.tif 000012
【図２】
2004065671.tif 000013
【図３】
2004065671.tif 000014
【図４】
2004065671.tif 000015
【図５】
2004065671.tif 000016
【図６】
2004065671.tif 000017
【図７】
2004065671.tif 000018